(57)【要約】【課題】開閉動作を安全・確実・容易に行うことが可能であるとともに、見栄えの良いトランク扉を提供する。【解決手段】トランク扉４ｂ，４ｃは、トランク扉４ｂ，４ｃの開放・閉鎖動作を行うために設置される扉把手１６，１６ａと、トランク扉４ｂ，４ｃの下部に設置されて上下方向に移動可能な開閉プレート１０，１０ａと、を備えている。この開閉プレート１０，１０ａについては、トランク扉４ｂ，４ｃの開放動作を行うために扉把手を操作したときには、開閉プレート１０，１０ａは扉把手と連動して上方向に移動し、トランク扉４ｂ，４ｃの閉鎖動作を行うために扉把手を操作したときには、開閉プレート１０，１０ａは扉把手と連動して下方向に移動するように構成されている。【選択図】図２
2005343672.tif 000002
【特許請求の範囲】
【請求項１】
乗降口を有するエレベータのかご室と、
前記乗降口と対向するかご室壁面の奥部に設けられるかご室拡張用のトランク室と、
前記かご室と前記トランク室とを仕切るとともに開閉自在に設置されるトランク扉と、
を有するトランク室付エレベータにおいて、
前記トランク扉は、
トランク扉の開放・閉鎖動作を行うために設置される扉把手と、
トランク扉の下部に設置されて上下方向に移動可能な開閉プレートと、
を備えており、
前記トランク扉の開放動作を行うために前記扉把手を操作したときには、前記開閉プレートは前記扉把手と連動して上方向に移動し、
前記トランク扉の閉鎖動作を行うために前記扉把手を操作したときには、前記開閉プレートは前記扉把手と連動して下方向に移動することを特徴とするトランク室付エレベータ。
【請求項２】
請求項１に記載のトランク室付エレベータにおいて、
前記扉把手が設置されるトランク扉の裏面側には、
扉把手と連動して駆動するクランクプレートと、
前記クランクプレートと前記開閉プレートに接続するクランク軸と、
が設置されており、
前記クランクプレートと前記クランク軸は、協働して前記扉把手の動作を前記開閉プレートに伝達することを特徴とするトランク室付エレベータ。
【請求項３】
請求項２に記載のトランク室付エレベータにおいて、
前記トランク扉の裏面側には、前記クランク軸の動きを案内するためのガイド部材が設置されていることを特徴とするトランク室付エレベータ。
【請求項４】
請求項２又は３に記載のトランク室付エレベータにおいて、
前記クランク軸の前記開閉プレートと接続する側の軸端は、二股形状であることを特徴とするトランク室付エレベータ。
【請求項５】
請求項１〜４のいずれか１項に記載のトランク室付エレベータにおいて、
前記トランク扉の裏面側には、前記開閉プレートの動きを案内するためのガイド部材が設置されていることを特徴とするトランク室付エレベータ。
【請求項６】
請求項１〜５のいずれか１項に記載のトランク室付エレベータにおいて、
前記トランク扉が閉鎖されたときに当接する前記かご室又は前記トランク室の床面には、前記トランク扉の下面を収納可能な溝が形成されていることを特徴とするトランク室付エレベータ。
【請求項７】
請求項１〜６のいずれか１項に記載のトランク室付エレベータにおいて、
前記開閉プレート付きトランク扉は観音開きの２つの扉によって構成されており、
かかる２つのトランク扉は、閉鎖したときに扉間で隙間が生じないように構成されていることを特徴とするトランク室付エレベータ。
【請求項８】
乗降口を有するエレベータのかご室と、
前記乗降口と対向するかご室壁面の奥部に設けられるかご室拡張用のトランク室と、
を有するトランク室付エレベータの前記かご室と前記トランク室とを仕切るとともに開閉自在に設置されるトランク扉であって、
トランク扉の開放・閉鎖動作を行うために設置される扉把手と、
トランク扉の下部に設置されて上下方向に移動可能な開閉プレートと、
を備え、
トランク扉の開放動作を行うために前記扉把手を操作したときには、前記開閉プレートは前記扉把手と連動して上方向に移動し、
トランク扉の閉鎖動作を行うために前記扉把手を操作したときには、前記開閉プレートは前記扉把手と連動して下方向に移動することを特徴とするトランク室付エレベータのトランク扉。
【請求項９】
請求項８に記載のトランク室付エレベータのトランク扉において、
前記扉把手が設置されるトランク扉の裏面側には、
扉把手と連動して駆動するクランクプレートと、
前記クランクプレートと前記開閉プレートに接続するクランク軸と、
が設置されており、
前記クランクプレートと前記クランク軸は、協働して前記扉把手の動作を前記開閉プレートに伝達することを特徴とするトランク室付エレベータのトランク扉。
【請求項１０】
請求項９に記載のトランク室付エレベータのトランク扉において、
トランク扉の裏面側には、前記クランク軸の動きを案内するためのガイド部材が設置されていることを特徴とするトランク室付エレベータのトランク扉。
【請求項１１】
請求項８又は９に記載のトランク室付エレベータのトランク扉において、
前記クランク軸の前記開閉プレートと接続する側の軸端は、二股形状であることを特徴とするトランク室付エレベータのトランク扉。
【請求項１２】
請求項８〜１１のいずれか１項に記載のトランク室付エレベータのトランク扉において、
トランク扉の裏面側には、前記開閉プレートの動きを案内するためのガイド部材が設置されていることを特徴とするトランク室付エレベータのトランク扉。
【請求項１３】
請求項８〜１２のいずれか１項に記載のトランク室付エレベータのトランク扉において、
トランク扉は観音開きの２つの扉によって構成されており、
かかる２つのトランク扉は、閉鎖したときに扉間で隙間が生じないように構成されていることを特徴とするトランク室付エレベータのトランク扉。
【発明の詳細な説明】
【技術分野】
【０００１】
本発明は、トランク室付エレベータ、トランク室付エレベータのトランク扉に係り、特に、トランク室に設置されるトランク扉の開閉動作を安全・確実・容易に行うことができるとともに、見栄えの良いトランク扉を提供することができる技術に関するものである。
【背景技術】
【０００２】
従来から、かご室に併設されたトランク室を有するトランク室付エレベータが知られている。このタイプのエレベータは、例えば、集合住宅や病院等に設置されるものであり、担架、棺桶、自転車等の大きな荷物を載せて昇降するために利用されている（例えば、下記特許文献１，２参照）。
【０００３】
従来のトランク室付エレベータについて、図面を用いて説明する。図８は、従来のトランク室付エレベータの全体概要を示す平面図である。また、図９は、従来のトランク室付エレベータの扉閉状態におけるトランク扉要部を示す斜視図である。
【０００４】
従来のトランク室付エレベータ１は、乗降口を有するエレベータ１のかご室２と、乗降口ドア５と対向するかご室２壁面の奥部に設けられるかご室拡張用のトランク室３と、かご室２とトランク室３とを仕切るとともに開閉自在に設置されるトランク扉４，４ａと、を有している。トランク扉４，４ａはトランク室３の入口に観音開きの状態に取り付けられており、かご室２の内方側に回動して開く構造になっている。すなわち、図８の支点Ｐ１，Ｐ２を回動軸として、矢印Ｘ１，Ｘ２の方向にトランク扉４，４ａが開くようになっている。
【０００５】
また、かご室２内にはマット６が敷かれているので、トランク扉４，４ａを開閉するときに、トランク扉４，４ａとマット６の接触を避ける必要がある。そこで、従来のトランク室付エレベータ１では、図９に示すように、トランク扉４，４ａに対してヒンジ部７を一体に設け、トランク扉４，４ａが開くと押上げ部材８によってトランク扉４，４ａの下端がマット６の上面より上方に位置するように上昇する構造が採用されている。
【０００６】
したがって、従来のトランク室付エレベータによれば、トランク扉４，４ａを開放したときに、トランク扉４，４ａの下端がマット６上面より上方に位置するようになるので、マット６の上面にトランク扉４，４ａの下端が接触してそのマット６を傷付けることがないとともに、マット６にトランク扉４，４ａが引っかかって開かなくなるということがないとされている。
【０００７】
【特許文献１】特開平１０−１６７６３３号公報
【特許文献２】特開２００１−１７１９５１号公報
【発明の開示】
【発明が解決しようとする課題】
【０００８】
しかしながら、従来のトランク室付エレベータ１に採用されているようなトランク扉４，４ａの構造では、扉を開けたときにトランク扉４，４ａが上昇するので上昇分の隙間が生じ、見栄えが良くないという問題がある。
【０００９】
また、図９に示すような小さなヒンジ部７を用いてトランク扉４，４ａの開放動作をする際には、トランク扉４，４ａは２０〜３０ｍｍ程度上昇することになるので、押上げ部材８の押上げ量が大きくなり、トランク扉４，４ａをスムーズに開けることが困難となる場合がある。トランク扉４，４ａを上昇させる所要寸法が大きければ大きいほど押上げ量は増大するので、ヒンジ部７にセリが発生し、トランク扉４，４ａを開けることができなくなる場合が発生することも考えられる。
【００１０】
さらに、図９に示すようなヒンジ部７とトランク扉４，４ａの構造では、トランク扉４，４ａを開けるためには壁側にトランク扉４，４ａの厚み分の隙間が必要であるので、見栄えが悪いという問題が存在している。
【００１１】
本発明は、以上のような問題を解決するために成されたものであって、開閉動作を安全・確実・容易に行うことができるとともに、見栄えの良いトランク扉を提供することを目的とするものである。
【課題を解決するための手段】
【００１２】
本発明に係るトランク室付エレベータは、乗降口を有するエレベータのかご室と、前記乗降口と対向するかご室壁面の奥部に設けられるかご室拡張用のトランク室と、前記かご室と前記トランク室とを仕切るとともに開閉自在に設置されるトランク扉と、を有するトランク室付エレベータであって、前記トランク扉は、トランク扉の開放・閉鎖動作を行うために設置される扉把手と、トランク扉の下部に設置されて上下方向に移動可能な開閉プレートと、を備えており、前記トランク扉の開放動作を行うために前記扉把手を操作したときには、前記開閉プレートは前記扉把手と連動して上方向に移動し、前記トランク扉の閉鎖動作を行うために前記扉把手を操作したときには、前記開閉プレートは前記扉把手と連動して下方向に移動することを特徴とする。
【００１３】
本発明に係るトランク室付エレベータにおいて、前記扉把手が設置されるトランク扉の裏面側には、扉把手と連動して駆動するクランクプレートと、前記クランクプレートと前記開閉プレートに接続するクランク軸と、が設置されており、前記クランクプレートと前記クランク軸は、協働して前記扉把手の動作を前記開閉プレートに伝達するように構成することができる。
【００１４】
また、本発明に係るトランク室付エレベータにおいて、前記トランク扉の裏面側には、前記クランク軸の動きを案内するためのガイド部材が設置されていることとすることができる。
【００１５】
さらに、本発明に係るトランク室付エレベータにおいて、前記クランク軸の前記開閉プレートと接続する側の軸端は、二股形状であることとすることが可能である。
【００１６】
またさらに、本発明に係るトランク室付エレベータにおいて、前記トランク扉の裏面側には、前記開閉プレートの動きを案内するためのガイド部材が設置されていることとすることができる。
【００１７】
さらにまた、本発明に係るトランク室付エレベータにおいて、前記トランク扉が閉鎖されたときに当接する前記かご室又は前記トランク室の床面には、前記トランク扉の下面を収納可能な溝が形成されていることとすることができる。
【００１８】
また、本発明に係るトランク室付エレベータにおいて、前記開閉プレート付きトランク扉は観音開きの２つの扉によって構成されており、かかる２つのトランク扉は、閉鎖したときに扉間で隙間が生じないように構成されていることとすることができる。
【００１９】
本発明に係るトランク室付エレベータのトランク扉は、乗降口を有するエレベータのかご室と、前記乗降口と対向するかご室壁面の奥部に設けられるかご室拡張用のトランク室と、を有するトランク室付エレベータの前記かご室と前記トランク室とを仕切るとともに開閉自在に設置されるトランク扉であって、トランク扉の開放・閉鎖動作を行うために設置される扉把手と、トランク扉の下部に設置されて上下方向に移動可能な開閉プレートと、を備え、トランク扉の開放動作を行うために前記扉把手を操作したときには、前記開閉プレートは前記扉把手と連動して上方向に移動し、トランク扉の閉鎖動作を行うために前記扉把手を操作したときには、前記開閉プレートは前記扉把手と連動して下方向に移動することを特徴とする。
【００２０】
本発明に係るトランク室付エレベータのトランク扉において、前記扉把手が設置されるトランク扉の裏面側には、扉把手と連動して駆動するクランクプレートと、前記クランクプレートと前記開閉プレートに接続するクランク軸と、が設置されており、前記クランクプレートと前記クランク軸は、協働して前記扉把手の動作を前記開閉プレートに伝達することが可能である。
【００２１】
また、本発明に係るトランク室付エレベータのトランク扉において、トランク扉の裏面側には、前記クランク軸の動きを案内するためのガイド部材が設置されていることとすることができる。
【００２２】
さらに、本発明に係るトランク室付エレベータのトランク扉において、前記クランク軸の前記開閉プレートと接続する側の軸端は、二股形状であることとすることができる。
【００２３】
またさらに、本発明に係るトランク室付エレベータのトランク扉において、トランク扉の裏面側には、前記開閉プレートの動きを案内するためのガイド部材が設置されていることとすることができる。
【００２４】
さらにまた、本発明に係るトランク室付エレベータのトランク扉において、トランク扉は観音開きの２つの扉によって構成されており、かかる２つのトランク扉は、閉鎖したときに扉間で隙間が生じないように構成されていることとすることが可能である。
【００２５】
なお上記発明の概要は、本発明の必要な特徴の全てを列挙したものではなく、これらの特徴群のサブコンビネーションもまた発明となり得る。
【発明の効果】
【００２６】
本発明によれば、トランク扉の開閉動作を安全・確実・容易に行うことができる。また、見栄えの良いトランク扉を提供することができる。
【発明を実施するための最良の形態】
【００２７】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。なお、背景技術で示した部材と同一又は類似の部材については、同一符号を付して説明を省略する。
【００２８】
図１は、本実施形態に係るトランク室付エレベータ１に用いられるトランク扉４ｂ，４ｃをかご室２側から見た外観図である。また、図２は、本実施形態に係るトランク扉４ｂ，４ｃをトランク室３側から見た外観図であり、図３は、本実施形態に係るトランク扉４ｂ，４ｃの側面外観を示す図である。
【００２９】
本実施形態に係るトランク扉４ｂ，４ｃにおいて特徴的な点は、トランク扉４ｂ，４ｃが、トランク扉４ｂ，４ｃの開放・閉鎖動作を行うために設置される扉把手１６，１６ａを備えるとともに、トランク扉４ｂ，４ｃの下部に設置されて上下方向に移動可能な開閉プレート１０，１０ａを備えていることである。この開閉プレート１０，１０ａについては、トランク扉４ｂ，４ｃの開放動作を行うために扉把手１６，１６ａを操作したときには、開閉プレート１０，１０ａは扉把手１６，１６ａと連動して上方向に移動し、トランク扉４ｂ，４ｃの閉鎖動作を行うために扉把手１６，１６ａを操作したときには、開閉プレート１０，１０ａは扉把手１６，１６ａと連動して下方向に移動するように構成されている。
【００３０】
以上のような動作を実現するための構成例について具体的に説明すると、本実施形態に係るトランク扉４ｂ，４ｃでは、扉把手１６，１６ａが設置されるトランク扉４ｂ，４ｃの裏面側に、扉把手１６，１６ａと連動して駆動するクランクプレート１２，１２ａと、クランクプレート１２，１２ａと開閉プレート１０，１０ａに接続するクランク軸１３，１３ａとが設置されている。したがって、クランクプレート１２，１２ａとクランク軸１３，１３ａは、協働して扉把手１６，１６ａの動作を開閉プレート１０，１０ａに伝達することができるようになっている。すなわち、トランク扉４ｂ，４ｃの開放のために扉把手１６，１６ａが操作されると、クランクプレート１２，１２ａは図４における矢印Ｙ１の方向に回転するので、クランク軸１３，１３ａは図２におけるＸ１の方向に移動して開閉プレート１０，１０ａを上方向に移動させることになる。逆に、トランク扉４ｂ，４ｃの閉鎖のために扉把手１６，１６ａが操作されると、クランクプレート１２，１２ａは図４における矢印Ｙ２の方向に回転するので、クランク軸１３，１３ａは図２におけるＸ２の方向に移動して開閉プレート１０，１０ａを下方向に移動させることができるのである。
【００３１】
なお、クランクプレート１２，１２ａには、クランク軸１３，１３ａとは別に鍵棒１１，１１ａが設置されており、この鍵棒１１，１１ａは図示しない鍵穴に挿抜されることによってトランク扉４ｂ，４ｃのストッパの役割を果たすことができるようになっている。
【００３２】
また、トランク扉４ｂ，４ｃの裏面側には、クランク軸１３，１３ａの動きを案内するためのクランク軸用ガイド部材１７が設置されているので、クランク軸１３，１３ａはスムーズな動きができるようになっている。さらに、開閉プレート１０，１０ａについても同様の目的のために開閉プレート用ガイド部材１８が設置されており、この開閉プレート用ガイド部材１８が上下移動を行う開閉プレート１０，１０ａのスムーズな動きを実現している。
【００３３】
一方、クランク軸１３，１３ａについては、開閉プレート１０，１０ａと接続する側の軸端が、二股形状１３ｂに構成されている（図２，図５参照）。クランク軸１３，１３ａに対してこのような二股形状１３ｂを採用することによって、開閉プレート１０，１０ａを保持するための保持力が向上するので、開閉プレート１０，１０ａの移動に際して安定性が確保されることになる。
【００３４】
なお、本実施形態に係るトランク室付エレベータ１では、トランク扉４ｂ，４ｃが閉鎖されたときに当接するかご室又はトランク室の床面に、トランク扉４ｂ，４ｃの下面を収納可能な溝１９が形成されている（図６参照）。また、本実施形態に係るトランク扉４ｂ，４ｃは、観音開きの２つの扉によって構成されている場合を例示して説明しているが、このような観音開きのトランク扉４ｂ，４ｃの場合には、開閉プレート用ガイド部材１８を床面まで形成せず、トランク扉４ｂ，４ｃを閉鎖したときに扉間で隙間が生じないような寸法（図５におけるＷの幅）でトランク扉４ｂ，４ｃを構成するようにすることが好適である。このような構造を採用することによってトランク扉４ｂ，４ｃに隙間が生じないので、見栄えの良いトランク扉４ｂ，４ｃを実現することができるのである。
【００３５】
以上のように構成された本実施形態に係るトランク扉４ｂ，４ｃの開放動作手順を説明すると以下のようになる。すなわち、
（１）図７において詳細に示されている扉把手収納部９，９ａの鍵１４，１４ａを開錠してボタン１５，１５ａを押すと、収納されている扉把手１６，１６ａが現れる。
（２）現れた扉把手１６，１６ａを動かすことによってトランク扉４ｂ，４ｃの裏面側に設置されているクランクプレート１２，１２ａが連動し、軸Ｊを中心として矢印Ｙ１の方向に動く。
（３）クランクプレート１２，１２ａが矢印Ｙ１の方向に動くことで鍵棒１１，１１ａが下方向に動くので、トランク扉４ｂ，４ｃのストッパが解除される。また、この動作と同時にクランク軸１３，１３ａが矢印Ｘ１の方向に動くので、開閉プレート１０，１０ａが上昇する。したがって、トランク扉４ｂ，４ｃと床との間には、隙間が形成されることになる。
（４）トランク扉４ｂ，４ｃとマット６との間に隙間があることを確認した後、トランク扉４ｂ，４ｃの開放動作を行う。
【００３６】
以上の記載からも明らかな通り、本発明によれば、扉把手収納部９，９ａのボタン１５，１５ａを押し、扉把手１６，１６ａを操作するだけでトランク扉４ｂ，４ｃは開錠状態となり、また、開閉プレート１０，１０ａは上昇してトランク扉４ｂ，４ｃと床との間に隙間が形成されるので、かご室２内にマット６を引いた状態であっても安全・確実・容易にトランク扉４ｂ，４ｃの開閉動作を行うことが可能である。
【００３７】
また、トランク扉４ｂ，４ｃは隙間が生じないような構造を採用しているので、見栄えの良いトランク扉４ｂ，４ｃを実現することが可能である。
【００３８】
さらに、クランク軸１３，１３ａの動きを案内するためのクランク軸用ガイド部材１７と、開閉プレート１０，１０ａの動きを案内するための開閉プレート用ガイド部材１８の働きによって、トランク扉４ｂ，４ｃのスムーズな開閉動作を実現することが可能となっている。
【００３９】
以上、本発明の好適な実施形態について説明したが、本発明の技術的範囲は上記実施形態に記載の範囲には限定されない。上記実施形態には、多様な変更又は改良を加えることが可能である。その様な変更又は改良を加えた形態も本発明の技術的範囲に含まれ得ることが、特許請求の範囲の記載から明らかである。
【図面の簡単な説明】
【００４０】
【図１】本実施形態に係るトランク室付エレベータに用いられるトランク扉をかご室側から見た外観図である。
【図２】本実施形態に係るトランク扉をトランク室側から見た外観図である。
【図３】本実施形態に係るトランク扉の側面外観を示す図である。
【図４】本実施形態に係るトランク扉の具体的な構成を説明するための要部概略図である。
【図５】本実施形態に係るトランク扉の具体的な構成を説明するための要部概略図である。
【図６】本実施形態に係るトランク扉の具体的な構成を説明するための要部概略図である。
【図７】本実施形態に係るトランク扉の具体的な構成を説明するための要部概略図である。
【図８】従来のトランク室付エレベータの全体概要を示す平面図である。
【図９】従来のトランク室付エレベータの扉閉状態におけるトランク扉要部を示す斜視図である。
【符号の説明】
【００４１】
１  トランク室付エレベータ、２  かご室、３  トランク室、４，４ａ，４ｂ，４ｃ  トランク扉、５  乗降口ドア、６  マット、７  ヒンジ部、８  押上げ部材、９，９ａ  扉把手収納部、１０，１０ａ  開閉プレート、１１，１１ａ  鍵棒、１２，１２ａ  クランクプレート、１３，１３ａ  クランク軸、１３ｂ  二股形状、１４，１４ａ  鍵、１５，１５ａ  ボタン、１６，１６ａ  扉把手、１７  クランク軸用ガイド部材、１８  開閉プレート用ガイド部材、１９  溝、Ｊ  軸、Ｐ１，Ｐ２  支点。
【図１】
2005343672.tif 000003
【図２】
2005343672.tif 000004
【図３】
2005343672.tif 000005
【図４】
2005343672.tif 000006
【図５】
2005343672.tif 000007
【図６】
2005343672.tif 000008
【図７】
2005343672.tif 000009
【図８】
2005343672.tif 000010
【図９】
2005343672.tif 000011